【手続補正書】
【提出日】平成17年4月20日(2005.4.20)
【手続補正１】
【補正対象書類名】明細書
【補正対象項目名】発明の名称
【補正方法】変更
【補正の内容】
【発明の名称】通信システム、基地局および端末
【手続補正２】
【補正対象書類名】明細書
【補正対象項目名】特許請求の範囲
【補正方法】変更
【補正の内容】
【特許請求の範囲】
【請求項１】
端末とネットワークに接続された基地局とが、該基地局の通信エリア内で通信情報の送受信を行う通信システムにおいて、
前記基地局は、
広告情報を記憶する情報記憶手段と、
前記情報記憶手段に記憶されている広告情報を選択して通信情報に付加するユーザデータ処理手段と、
前記ユーザデータ処理手段から出力された通信情報および広告情報に対して送信先の端末を特定するアドレスを付加してパケットを生成するヘッダ識別・処理手段と、
前記ヘッダ識別・処理手段から出力されたパケットに対して所定の変調処理を行い、変調されたパケットによる無線電波を前記端末へ送信し、または該端末から無線電波を受信する送受信手段とを備え、
前記端末は、
前記基地局から受信した広告情報を表示する広告表示部とを備え、
前記端末が通信情報の送受信を行うとき、前記広告表示部に広告情報が表示されることを特徴とする通信システム。
【請求項２】
前記端末は、
前記広告表示部に複数の広告情報のタイトルを表示させ、該タイトルを選択することにより所望の広告情報の詳細内容を表示させると共に、詳細内容を表示させた旨の広告閲覧情報を前記基地局へ送信し、
前記基地局は、
前記ユーザデータ処理手段が、前記端末から受信した広告閲覧情報に基づいて、該端末に対してネットワークへの接続を許可することを特徴とする請求項１に記載の通信システム。
【請求項３】
前記ネットワークには前記基地局へ広告情報を配信する広告サーバが接続され、
前記広告サーバは、所定の基地局に内蔵される前記情報記憶手段に対して、広告情報を一括配信して更新することを特徴とする請求項２に記載の通信システム。
【請求項４】
前記ネットワークには前記基地局へ広告情報を配信する広告サーバが接続され、
前記広告サーバは、所定の基地局に内蔵される前記情報記憶手段に対して、広告情報を個別に配信して更新することを特徴とする請求項２に記載の通信システム。
【請求項５】
前記広告サーバは、
前記端末ごとの広告閲覧情報の送信回数を集計して蓄積する利用者情報データベースを備え、
前記基地局が、前記利用者情報データベースに蓄積された広告閲覧情報の送信回数に応じて、前記端末の通信料金の割引および／またはコンテンツの該端末への無料配信を行うことを特徴とする請求項３または請求項４に記載の通信システム。
【請求項６】
ネットワークに接続され、自己の通信エリア内にある端末との間で通信情報の送受信を行う基地局において、
広告情報を記憶する情報記憶手段と、
前記情報記憶手段に記憶されている広告情報を選択して通信情報に付加するユーザデータ処理手段と、
前記ユーザデータ処理手段から出力された通信情報および広告情報に対して送信先の端末を特定するアドレスを付加してパケットを生成するヘッダ識別・処理手段と、
前記ヘッダ識別・処理手段から出力されたパケットに対して所定の変調処理を行い、変調されたパケットによる無線電波を前記端末へ送信し、または該端末から無線電波を受信する送受信手段とを備え、
前記送信先の端末に対し、通信情報と共に送信した広告情報を表示させるための情報を送信することを特徴とする基地局。
【請求項７】
前記ユーザデータ処理手段が、前記端末から受信した広告閲覧情報に基づいて、該端末に対してネットワークへの接続を許可することを特徴とする請求項６に記載の基地局。
【請求項８】
前記ネットワークに接続された広告サーバから受信した広告情報を、基地局に内蔵される前記情報記憶手段に対して一括して更新することを特徴とする請求項７に記載の基地局。
【請求項９】
前記ネットワークに接続された広告サーバから受信した広告情報を、基地局に内蔵される前記情報記憶手段に対して個別に更新することを特徴とする請求項７に記載の基地局。
【請求項１０】
前記広告サーバ中に設けられ、前記端末ごとの広告閲覧情報の送信回数を集計して蓄積する利用者情報データベースに蓄積された広告閲覧情報の送信回数に応じて、前記端末の通信料金の割引および／またはコンテンツの該端末への無料配信を行うことを特徴とする請求項８または請求項９に記載の基地局。
【請求項１１】
ネットワークに接続された基地局の通信エリア内で前記基地局と通信情報の送受信を行う端末において、
前記基地局から受信した広告情報を表示する広告表示部を備え、
前記基地局との間で通信情報の送受信を行うとき、前記基地局から受信した広告情報を前記広告表示部に表示させることを特徴とする端末。
【請求項１２】
前記広告表示部に複数の広告情報のタイトルを表示させ、該タイトルを選択してクリックすることにより所望の広告情報の詳細内容を表示させると共に、該詳細内容を表示させた旨の広告閲覧情報を前記基地局を介して広告サーバへ送信し、該広告サーバからの広告閲覧情報に基づいてネットワークへの接続が許可されることを特徴とする請求項１１に記載の端末。
【請求項１３】
前記広告サーバ中に設けられ、前記端末ごとの広告閲覧情報の送信回数を集計して蓄積する利用者情報データベースに蓄積された広告閲覧情報の送信回数に応じて、通信料金の割引および／またはコンテンツの無料配信を受けることを特徴とする請求項１２に記載の端末。
【手続補正３】
【補正対象書類名】明細書
【補正対象項目名】０００１
【補正方法】変更
【補正の内容】
【０００１】
【発明の属する技術分野】
本発明は、端末の利用者に対してより安価に通信サービスを提供するための通信システム、基地局および端末に関するものである。より詳細には、端末に対して広告情報を効果的に配信することにより安価に通信サービスを提供できる通信システム、基地局および端末に関するものである。
【手続補正４】
【補正対象書類名】明細書
【補正対象項目名】０００６
【補正方法】変更
【補正の内容】
【０００６】
【課題を解決するための手段】
上記の目的を達成するため、本発明の通信システムは、端末とネットワークに接続された基地局とが、この基地局の通信エリア内で通信情報の送受信を行う通信システムに関するものである。そして、基地局は、広告情報を記憶する情報記憶手段と、情報記憶手段に記憶されている広告情報を選択して通信情報に付加するユーザデータ処理手段と、ユーザデータ処理手段から出力された通信情報および広告情報に対して送信先の端末を特定するアドレスを付加し、パケットを生成するヘッダ識別・処理手段と、ヘッダ識別・処理手段から出力されたパケットに対して所定の変調処理を行い、変調されたパケットによる無線電波を端末へ送信し、または端末から無線電波を受信する送受信手段とを備えている。また、端末は、基地局から受信した広告情報を表示する広告表示部とを備えている。そして、端末が通信情報の送受信を行うとき、広告表示部に広告情報が表示されることを特徴とする。
【手続補正５】
【補正対象書類名】明細書
【補正対象項目名】０００７
【補正方法】変更
【補正の内容】
【０００７】
また、本発明の通信システムにおいては、端末は、広告表示部に複数の広告情報のタイトルを表示させ、このタイトルを選択することにより所望の広告情報の詳細内容を表示させると共に、詳細内容を表示させた旨の広告閲覧情報を基地局へ送信する。そして、基地局では、ユーザデータ処理手段が、端末から受信した広告閲覧情報に基づいて、端末に対してネットワークへの接続を許可することを特徴とする。
【手続補正６】
【補正対象書類名】明細書
【補正対象項目名】０００８
【補正方法】変更
【補正の内容】
【０００８】
また、本発明の通信システムにおいては、ネットワークには基地局へ広告情報を配信する広告サーバが接続されている。そして、この広告サーバは、所定の基地局に内蔵される情報記憶手段に対して広告情報を一括配信して更新することを特徴とする。
【手続補正７】
【補正対象書類名】明細書
【補正対象項目名】０００９
【補正方法】変更
【補正の内容】
【０００９】
また、本発明の通信システムにおいては、ネットワークには基地局へ広告情報を配信する広告サーバが接続され、この広告サーバは、所定の基地局に内蔵される情報記憶手段に対して広告情報を個別に配信して更新することを特徴とする。
【手続補正８】
【補正対象書類名】明細書
【補正対象項目名】００１０
【補正方法】変更
【補正の内容】
【００１０】
また、本発明の通信システムにおいては、広告サーバは、端末ごとの広告閲覧情報の送信回数を集計して蓄積する利用者情報データベースを備えている。そして、基地局が、利用者情報データベースに蓄積された広告閲覧情報の送信回数に応じて、端末の通信料金の割引および／またはコンテンツの端末への無料配信を行うことを特徴とする。
【手続補正９】
【補正対象書類名】明細書
【補正対象項目名】００１１
【補正方法】変更
【補正の内容】
【００１１】
また、本発明の基地局は、ネットワークに接続され、自己の通信エリア内にある端末との間で通信情報の送受信を行う基地局に関するものである。そして、基地局が、広告情報を記憶する情報記憶手段と、情報記憶手段に記憶されている広告情報を選択して通信情報に付加するユーザデータ処理手段と、ユーザデータ処理手段から出力された通信情報および広告情報に対して送信先の端末を特定するアドレスを付加し、パケットを生成するヘッダ識別・処理手段と、ヘッダ識別・処理手段から出力されたパケットに対して所定の変調処理を行い、変調されたパケットによる無線電波を前記端末へ送信し、または端末から無線電波を受信する送受信手段とを備えている。このような構成によって、基地局が送信先の端末に対し、通信情報と共に送信した広告情報を表示させるための情報を送信することを特徴とする。
【手続補正１０】
【補正対象書類名】明細書
【補正対象項目名】００１２
【補正方法】変更
【補正の内容】
【００１２】
また、本発明の基地局は、ユーザデータ処理手段が、端末から受信した広告閲覧情報に基づいて、端末に対してネットワークへの接続を許可することを特徴とする。
【手続補正１１】
【補正対象書類名】明細書
【補正対象項目名】００１３
【補正方法】変更
【補正の内容】
【００１３】
本発明の基地局においては、ネットワークに接続された広告サーバから受信した広告情報を基地局に内蔵される情報記憶手段に対して一括して更新することを特徴とする。
【手続補正１２】
【補正対象書類名】明細書
【補正対象項目名】００１４
【補正方法】変更
【補正の内容】
【００１４】
また、本発明の基地局においては、ネットワークに接続された広告サーバから受信した広告情報を、基地局に内蔵される情報記憶手段に対して個別に更新することを特徴とする。
【手続補正１３】
【補正対象書類名】明細書
【補正対象項目名】００１５
【補正方法】変更
【補正の内容】
【００１５】
また、本発明の基地局においては、広告サーバ中に設けられ、端末ごとの広告閲覧情報の送信回数を集計して蓄積する利用者情報データベースに蓄積された広告閲覧情報の送信回数に応じて、端末の通信料金の割引および／またはコンテンツの端末への無料配信を行うことを特徴とする。
【手続補正１４】
【補正対象書類名】明細書
【補正対象項目名】００１６
【補正方法】変更
【補正の内容】
【００１６】
また、本発明の端末は、ネットワークに接続された基地局の通信エリア内でこの基地局と通信情報の送受信を行う端末において、基地局から受信した広告情報を表示する広告表示部とを備えている。そして、端末が基地局との間で通信情報の送受信を行うとき、基地局から受信した広告情報を広告表示部に表示させることを特徴とする。
【手続補正１５】
【補正対象書類名】明細書
【補正対象項目名】００１７
【補正方法】変更
【補正の内容】
【００１７】
また、本発明の端末は、広告表示部に複数の広告情報のタイトルを表示させ、このタイトルを選択してクリックすることにより所望の広告情報の詳細内容を表示させると共に、この詳細内容を表示させた旨の広告閲覧情報を基地局を介して広告サーバへ送信し、広告サーバからの広告閲覧情報に基づいてネットワークへの接続が許可されることを特徴とする。
【手続補正１６】
【補正対象書類名】明細書
【補正対象項目名】００１８
【補正方法】変更
【補正の内容】
【００１８】
また、本発明の端末においては、広告サーバ中に設けられ、端末ごとの広告閲覧情報の送信回数を集計して蓄積する利用者情報データベースに蓄積された広告閲覧情報の送信回数に応じて、通信料金の割引および／またはコンテンツの無料配信を受けることを特徴とする。
【手続補正１７】
【補正対象書類名】明細書
【補正対象項目名】００５５
【補正方法】変更
【補正の内容】
【００５５】
【発明の効果】
以上説明したように、本発明の通信システムによれば、ＡＰ（基地局）に情報記憶装置を内蔵して、ＡＰから端末に広告情報を提供することにより、広告サーバが大量の広告情報を保有する必要がなくなる。また、広告サーバから毎回端末へ広告情報を配信する必要もなくなる。したがって、広告サーバやネットワークの負荷を軽減することができ、ネットワークにおいて本来通信すべき資源を有効に活用することができる。
【手続補正１８】
【補正対象書類名】明細書
【補正対象項目名】００５６
【補正方法】変更
【補正の内容】
【００５６】
また、ＡＰに内蔵された情報記憶装置に記憶される広告情報を広告主が独占する代わりに、ＡＰの設置や管理を広告主が行うことによって通信システム全体のコスト負担を広く分散することができる。よって、通信サービス事業者の通信事業にかかる資本を軽減することができるので、通信インフラのさらなる普及に役立てることができる。さらに、種々の法人が広告目的で多くのＡＰを設置するため、利用者にかかる端末の利用料金の負担を一層少なくすることができる。
【手続補正１９】
【補正対象書類名】明細書
【補正対象項目名】００５７
【補正方法】変更
【補正の内容】
【００５７】
また、ＡＰを設置する法人や個人は、ＡＰを設置する場所に関連した広告情報を端末の利用者に提供することができるので、ＴＰＯに応じて、より効果的な広告配信が期待できる。さらに、通信インフラにかかるコストをＡＰを設置する法人や個人に分散し、これらの法人や個人が広告効果を目的としてＡＰの利用を無料で利用者に開放することにより、通話料の課金に必要なインフラシステムが不要になり、より安価な通信インフラを構築することができる。
【手続補正２０】
【補正対象書類名】明細書
【補正対象項目名】００５８
【補正方法】変更
【補正の内容】
【００５８】
また、本発明の通信システムによれば、地域密着型の広告情報を提供することもできるし広範囲な広告情報を提供することもできる。さらに、それぞれのＡＰに備えられた情報記憶装置に記憶されている広告情報を遠隔地から任意に変更したり更新したりすることもできる。また、情報記憶装置が既存の基地局に対する付加装置ではないので、広告代理店などが大量にＡＰを購入して街角などに設置して、広告主からの要望によって所定のＡＰの情報記憶装置のみを変更したり更新したりして、ＭＴの利用者に対してきめ細かな広告情報を提供することができる。さらに、広告代理店が広告サーバを保有し、広告代理店の管理下にある全てのＡＰを上記の広告サーバによって制御することができる。また、広告代理店は広告主からの広告収入によってＡＰを維持することができるので、一般加入者線に接続したＭＴに対してより安価な通信サービスを提供することができる。